(57)【要約】      （修正有）【課題】ハンドル操作により順次繰り出すテープから剥がした薄板状の機能タグを商品の予定した位置に正しく貼着させること、および貼着した機能タグにある程度の押圧力を付与して安定した貼り付けができる機能タグ貼着装置を提供する。【解決手段】タグ支持機構８には、該操作ハンドル３ａ，３ｂの操作によって上下方向にスライドするスライド部材９と、該スライド部材の上下動に応じて開閉するとともに下端部に機能タグを支持する支持部を有する左右一対の機能タグ支持部材１７ａ，１７ｂとを備えている。剥離部材７によってテープから剥離した機能タグは該機能タグ支持部材の支持部に供給され、スライド部材の下降作用によって機能タグ支持部材を開いて開放されるとともに上面を押圧され貼着される。【選択図】図２
2010222058.tif 000002
【特許請求の範囲】
【請求項１】
本体フレームと、該本体フレームと一体的に備えたグリップと、該グリップに対向して備えた操作ハンドルと、該操作ハンドルの操作によってテープの繰り出しを行う繰出機構と、テープに貼着保持された機能タグの先端を感知する感知爪と、テープから機能タグを剥離する剥離部材と、剥離された機能タグを支持するタグ支持機構とからなり、
該タグ支持機構は、
該操作ハンドルの操作によって上下方向にスライドするスライド部材と、
該スライド部材の上下動に応じて開閉するとともに下端部に機能タグを支持する支持部を有する左右一対の機能タグ支持部材とを備えてなり、
該操作ハンドルの操作により繰り出されたテープから剥離部材によって剥離した機能タグを該機能タグ支持部材の支持部に供給し、供給された機能タグをスライド部材の下降作用によって機能タグ支持部材を開いて開放するとともに機能タグの上面を押圧するようにしたことを特徴とする機能タグ貼着装置。
【請求項２】
上記支持機構は少なくとも先端壁と両側壁を備えるとともに後端側と下端側が開口したボックス形状の外壁で囲繞され、該先端壁の内側面には上下一対のガイドピンが突設され、
該スライド部材には上下方向にスリット状のガイド溝が形成されるとともに、該ガイド溝内に該ガイドピンが摺動自在に嵌合してなる請求項１に記載の機能タグ貼着装置。
【請求項３】
上記機能タグ支持部材は、その中間部を該先端壁の内側面に突設した軸に枢着されるとともに、上端部には該先端壁方向に突出したガイドボスを備え、
該スライド部材には、中央部を境にして左右対称に裾広がりに形成した一対のカム溝を備えるとともに、該カム溝内にガイドボスを摺動自在に嵌合してなる請求項２に記載の機能タグ貼着装置。
【請求項４】
上記支持機構の両側壁間には軸部材を回転自在に備えるとともに、該軸部材の一端側にはリンク部材を介して操作ハンドルと連結され、
該軸部材には遊端部にスリット状の切り欠き凹部が形成された一対のアーム部材が一体的に突出形成され、該スライド部材の両側面に突設したボスを備え、該ボスに該切り欠き凹部に係合させ、
該軸部材の所定角度の回転により該スライド部材を昇降させると同時に該スライド部材のカム溝に嵌合したガイドボスを介して機能タグ支持部材を開閉自在に駆動するようにしてなる請求項３に記載の機能タグ貼着装置。
【請求項５】
上記スライド部材はコイルスプリングにより常に下方向に付勢されてなる請求項４に記載の機能タグ貼着装置。
【請求項６】
上記スライド部材の下端には緩衝部材を備えてなる請求項５に記載の機能タグ貼着装置。
【請求項７】
上記機能タグ支持部材の支持部は矩形状に切り欠かれてなる切り欠き部である請求項４に記載の機能タグ貼着装置。
【発明の詳細な説明】
【技術分野】
【０００１】
本発明は、通常の紙一枚に様々な色や情報が印刷されたラベルやタグよりも、厚く、また固い材質で作られ、薄板状の形状を持つ「機能タグ」をテープ状に多数枚、所要間隔をもって整列させて仮付けし、そのテープを順次繰り出して機能タグを１枚づつ剥がして、ラベル形式で商品に貼り付けることが出来る機能タグ貼着装置に関するものである。
ここで、「機能タグ」とは、紙だけで出来たラベルやタグでは実現不可能な機能が付与されたタグをいい、例えば、商品の生産者、生産地、品質、流通経路、価格などの情報が電子的に記憶できるメモリ機能が付与された半導体チップ（IC）を内蔵するＩＣタグ、鉄板などの金属を内包して外部の電界に擾乱を与えてアンテナにより検出することで不当な持ち出しを防止することができるようにした盗難防止タグ乃至ラベルなどがある。
【背景技術】
【０００２】
従来、価格等を印字するラベルを商品に貼り付けるためのハンドラベラーとして複数の技術が公知になっている。例えば、特開２００１−１０６２１５号公報に開示された「ラベル貼着機」は、ハンドル操作で作動しテープを所定方向に繰り出す繰出機構と、貼着機本体の先端側に揺動自在に配設される爪取付部材と、該爪取付部材の先端部に揺動自在に取り付けられると共に、テープを繰り出した時に胴テープに接着されたラベルの先端に係合して前記爪取付部材を角変位せしめる感知爪と、前記爪取付部材の角変位に連動し前記繰出機構で繰り出されるテープ繰り出し長さをラベルの接着ピッチに自動調節して合致させ、かつ、前記繰出機構の動きを停止させる調節停止レバーと、前記ハンドルの戻り動作に連動してラベル先端での前記感知爪の係合を解除させる係合解除部材とを備え、前記感知爪は、使用するラベルの形や大きさに応じて少なくともテープ及び／又はラベルの幅方向に摺動自在に変位するように構成されている。
【０００３】
そして、感知爪が使用するラベルの形や大きさに応じて少なくともテープ及び／又はラベルの幅方向に摺動自在に変位することによって、どんな形状、大きさのラベルであっても、感知爪をラベルの幅方向中心位置に合わせるべく移動できるため、正確且つ適時なラベルの送り出しができ、確実にラベルを貼付できるというものである。
【０００４】
また、特開２００６−６９６６４号公報に開示された「ラベル貼着機」は、上記特開２００１−１０６２１５号公報に開示された基本的な構成に対して、台紙移送部材または手動レバーの復動量を制御することができる制限作用部を備えた調節機構を付加し、ラベルとラベルの間に間隔が空いていないタイプのラベル連続体を使用する場合に、前記ラベルセンサに対する次のラベルにおける前縁の到来に対応して決まる前記台紙移送部材または前記手動レバーの復動停止位置の直後位置に、該調節機構における制限作用部を臨ませ、ラベルセンサが次のラベルにおける前縁の到来を検知できなかった場合でも、台紙移送部材または手動レバーの復動量が、調節機構の制限作用部で制限されるようになっている。
【０００５】
そして、台紙移送部材または手動レバーの復動量が、調節機構の制限作用部で制限されるようにしたことにより、希にラベル前縁の到来未検知の現象が生じても、一度に複数のラベルを剥離させてしまうことがなく、ラベルのジャミングによるトラブルを生じさせないというものである。
【先行技術文献】
【特許文献】
【０００６】
【特許文献１】特開２００１−１０３２１５号公報
【特許文献２】特開２００６−６９６６４号公報
【発明の概要】
【発明が解決しようとする課題】
【０００７】
しかしながら、上述した従来のいずれのハンドラベラーにあっても、あくまでも価格等を印字する薄くて軽量で柔軟性のあるラベルを商品に貼り付けるためのものであり、ラベルよりも硬質でより厚い薄板状の機能タグについては適用できる要件が備わっていない。
【０００８】
即ち、薄板状の機能タグはラベルよりも厚い上に重量もあるため、ハンドル操作により順次繰り出すテープから剥がしたときに、自重で先端部側から直ちに落下してしまい、商品の予定した位置に正しく貼着することができないという問題がある。
【０００９】
また、薄くて軽い従来のラベルは、予定した位置に載せることによりラベル貼着商品を移動させてもラベルは脱落しないが、機能タグの場合はより厚く重量もあり予定した位置に載せるだけでは充分な貼着力が得られず商品を移動させたりしたときに、商品から剥がれて脱落するという問題がある。
【００１０】
従って、本発明はハンドル操作により順次繰り出すテープから剥がした薄板状の機能タグを商品の予定した位置に正しく貼着させること、および貼着した機能タグにある程度の押圧力を付与して安定した貼着ができる機能タグ貼着装置を提供することを目的とする。
【課題を解決するための手段】
【００１１】
そこで、本発明にかかる機能タグ貼着装置は、本体フレームと、該本体フレームと一体的に備えたグリップと、該グリップに対向して備えた操作ハンドルと、該操作ハンドルの操作によってテープの繰り出しを行う繰出機構と、テープに貼着保持された機能タグの先端を感知する感知爪と、テープから機能タグを剥離する剥離部材と、剥離された機能タグを支持するタグ支持機構とからなり、該タグ支持機構は、該操作ハンドルの操作によって上下方向にスライドするスライド部材と、該スライド部材の上下動に応じて開閉するとともに下端部に機能タグを支持する支持部を有する左右一対の機能タグ支持部材とを備えてなり、該操作ハンドルの操作により繰り出されたテープから剥離部材によって剥離した機能タグを該機能タグ支持部材の支持部に供給し、供給された機能タグをスライド部材の下降作用によって機能タグ支持部材を開いて開放するとともに機能タグの上面を押圧するように構成した。
【００１２】
該支持機構は少なくとも先端壁と両側壁を備えるとともに後端側と下端側が開口したボックス形状の外壁で囲繞され、該先端壁の内側面には上下一対のガイドピンが突設され、該スライド部材には上下方向にスリット状のガイド溝が形成されるとともに、該ガイド溝内に該ガイドピンが摺動自在に嵌合してなる構成とするのが好ましい。
【００１３】
また、該機能タグ支持部材は、その中間部を該先端壁の内側面に突設した軸に枢着されるとともに、上端部には該先端壁方向に突出したガイドボスを備え、該スライド部材には、中央部を境にして左右対称に裾広がりに形成した一対のカム溝を備えるとともに、該カム溝内にガイドボスを摺動自在に嵌合してなる構成とするのが好ましい。
【００１４】
さらには、該支持機構の両側壁間には軸部材を回転自在に備えるとともに、該軸部材の一端側にはリンク部材を介して操作ハンドルと連結され、該軸部材には遊端部にスリット状の切り欠き凹部が形成された一対のアーム部材が一体的に突出形成され、該スライド部材の両側面に突設したボスを備え、該ボスに該切り欠き凹部に係合させ、該軸部材の所定角度の回転により該スライド部材を昇降させると同時に該スライド部材のカム溝に嵌合したガイドボスを介して機能タグ支持部材を開閉自在に駆動するように構成するのが好ましい。
【００１５】
該スライド部材はコイルスプリングにより常に下方向に付勢するとともに、該スライド部材の下端には緩衝部材を備えるのが好ましい。また、該機能タグ支持部材の支持部は矩形状に切り欠かれてなる切り欠き部とすることができる。
【発明の効果】
【００１６】
本発明は、ハンドル操作によって上下動するスライド部材と、該スライド部材の上下動に起因して開閉し下端部に支持部を有する一対の機能タグ支持部材を設けたので、操作ハンドル操作により繰り出されたテープから剥離部材を介して剥離した機能タグを機能タグ支持部材の支持部に供給し、該供給された機能タグをスライド部材の下降作用によって機能タグ支持部材を開いて離脱させると同時に機能タグの上面を押圧することによって、硬質の機能タグを商品の予定した位置に貼着させることができるという優れた効果を奏する。
【００１７】
また、テープ繰り出し、機能タグのテープからの剥離までの作業を従来のハンドラベラーの構造をそのまま使えるので、製造コストを低く抑えることができる。
【図面の簡単な説明】
【００１８】
【図１】本発明に係る機能タグ貼着装置を示す斜視図である。
【図２】同機能タグ貼着装置の要部を略示的に示す斜視図である。
【図３】同機能タグ貼着装置の要部であるタグ支持機構を背面側からみた斜視図である。
【図４】同タグ支持機構における不使用時の状態を示す背面図である。
【図５】同タグ支持機構における使用時の状態を示す背面図である。
【図６】同機能タグ貼着装置の操作系統を略示的に示した側面図である。
【図７】同機能タグ貼着装置に使用できる市販の機能タグを貼着保持したテープの一部を示す斜視図である。
【発明を実施するための形態】
【００１９】
図１に示すように、本発明の実施例にかかる機能タグ貼着装置１は、従来のハンドラベラーと同様に、本体フレーム２の後端部側にグリップ３ａと操作ハンドル３ｂとが設けられ、本体フレーム２の中間付近の側面から突設された固定軸４にロールテープ５が回転可能に配設されている。該ロールテープ５は該固定軸４の先端部に着脱自在に装着されるストッパー６によって抜け止め保持され、該操作ハンドル３ｂの操作により、先端側に送り出される。送り出されたテープ５が、剥離部材７の先端を回して後端側に反転させて後方に送られることにより、テープ５上に整列させて貼着保持された機能タグが順次剥がされて商品の予定された位置に供給され貼着される。機能タグ貼着装置１は、かかる構成を有するとともに、さらに先端側に機能タグのタグ支持機構８が配設されている。
【００２０】
このタグ支持機構８は、図２〜図５に示すように、後端側と下端側が開口したボックス形状の外壁で囲まれており、該外壁の先端壁８ａの内側に上下方向にスライドするスライド部材９が配設されている。このスライド部材９は、上下方向にスリット状のガイド溝１０が形成され、該ガイド溝１０に先端壁８ａに取り付けた一対のガイドピン１１ａ、１１ｂが嵌合しこれにガイドされて垂直に上下動するようになっている。但し、垂直方向にスライドできるように配設される構成であれば、例えば、レール状のガイド部材であっても良いのであり、この構成に限定されるものではない。
【００２１】
また、スライド部材９は、両側面の上部にそれぞれ設けたピン１２ａ、１２ｂと先端壁８ａに設けたピン１３ａ、１３ｂとをコイルスプリング１４ａ、１４ｂで連結して常に下方向に付勢すると共に、両側面の中間付近にはボス１５ａ、１５ｂが外方向に向けて突設されている。
【００２２】
さらに、スライド部材９には、中央部を境にして左右対称にカム溝１６ａ、１６ｂが裾広がり(ハの字状)に設けられると共に、下端部側には、ゴムなどからなる緩衝部材９ａが取り付けられている。
【００２３】
先端壁８ａには上記カム溝１６ａ、１６ｂの両外側に軸１８ａ、１８ｂが突設され、当該軸１８ａ、１８ｂにそれぞれ中間位置を枢着して一対の機能タグ支持部材１７ａ、１７ｂが対称状態にかつ回動自在に設けている。この機能タグ支持部材１７ａ、１７ｂの各上端部にはガイドボス１９ａ、１９ｂが突設されるとともに、スライド部材９のカム溝１６ａ、１６ｂにそれぞれ係合させている。下端部には機能タグを支持するための切り欠き部２０ａ、２０ｂがそれぞれ形成されており、スライド部材９の上下動によってガイドボス１９ａ、１９ｂがカム溝１６ａ、１６ｂに沿って上下動することによって、下端部の切り欠き部２０ａ、２０ｂが開閉する。
【００２４】
スライド部材９の上下動は、ボックス形状の外壁の両側壁８ｂ、８ｃ間に軸受された軸部材２１によって駆動される。即ち、軸部材２１には一対のアーム部材２２ａ、２２ｂが一体的に突出形成され、該アーム部材の先端側にスリット状の切り欠き凹部２２ｃ、２２ｄが形成されており、該切り欠き凹部にそれぞれ上記ボス１５ａ、１５ｂを係合させ、軸部材２１の側壁８ｃ側は本体フレーム２側に突出して、該突出端にはリンク部材２３を取り付け、該リンク部材２３先端側に突出形成したボス２４にピストン作用して係合離脱する板状部材２５が配設されている。なお、上記の構成については、スライド部材９の上下動を行わせるための一実施例に過ぎないのであり、これに限定されることなく、例えば、ハンドル操作によって駆動されるベルトで回動できるカム部材をスライド部材に係合させ、カム部材の回動によりスライド部材との係合離脱により上下動させる構成にすることもできるし、さらに、他の構成も適用できるのである。要するに、ハンドル操作に起因してテープの繰り出しと、スライド部材の上下動ができる構成であれば良いのである。
【００２５】
この板状部材２５は、図６に示すように、先端側にボス２４と係合する切り欠き凹部２５ａが形成されると共に、下端縁側に傾斜部２５ｂを有する突出部が形成されている。そして、後端部は、操作ハンドル３ｂと伝達ギア群を介して揺動自在に配置されたレバー部材２８の中間位置に連結されている。操作ハンドル３ｂのギア部３ｃが中間歯車２６を介して扇形のギアセグメント２７とに噛合し、該ギアセグメント２７に該レバー部材２８が一体的に結合している。
【００２６】
このように連結することにより、操作ハンドル３ｂを握って駆動すると、中間歯車２６を介して扇形のギアセグメント２７が回動し、該ギアセグメント２７に結合しているレバー部材２８が矢印ａ方向に回動させられることによって、板状部材２５が後端側に引き寄せられる。また、板状部材２５が後端側に引き寄せられた時に、傾斜部２５ｂと当接して全体を押し上げて、切り欠き凹部２５ａをボス２４から離脱させるためのガイドピン２９が本体フレーム２の壁面に突設されると共に、板状部材２５を常に下方に付勢させるスプリング３０が設けられている。
【００２７】
なお、操作ハンドル３ｂの操作により、レバー部材２８の矢印ａ方向の回動動作によって、テープ５を繰り出す繰出部材３１と機能タグの検出を行う感知爪３２とが設けられると共に、テープの案内板３３が設けられている。これら各部材によるテープ５の繰り出し作用乃至は機能、テープ５に貼着保持させた機能タグの剥離前の位置検出などを行う作用乃至は機能等については、従来技術として説明した本願発明と同一出願人によるハンドラベラーと略同一の機能を有するものであるので詳しい説明は省略する。要するに、ハンドル操作によりテープに貼着してあるラベルを順次繰り出すと共に、一枚づつ剥がして商品に貼着できる構成の装置を、図７に示したような、機能タグ３４を貼着したテープ５に適用できるようにしたものである。
【００２８】
次に、本発明に係る機能タグ貼着装置１の動作に付いて説明する。
機能タグ貼着装置１が使用されていない場合、即ち、操作ハンドル３ｂに力が加えられていない状態においては、タグ支持機構８におけるスライド部材９は、図３及び図４に示すように、コイルスプリング１４ａ、１４ｂに引っ張られて下端に位置付けされており、機能タグ支持部材１７ａ、１７ｂの下端側が外側に開いた状態にある。
【００２９】
この状態から、グリップ３ａと操作ハンドル３ｂとを一緒に掴んで、商品における機能タグの取り付け位置に、先端側のタグ支持機構８を合わせて、操作ハンドル３ｂを引き寄せると、図６に示すように、操作ハンドル３ｂが回動し、レバー部材２８が矢印ａ方向に回動させられ、板状部材２５が後端側に引き寄せられ、それに伴ってリンク部材２３も引き寄せられることとなって軸部材２１が所要角度回転する。
【００３０】
軸部材２１が回転することにより、該軸部材２１に取り付けられているアーム部材２２ａ、２２ｂが上方に向かって回動し、その先端に係合しているボス１５ａ、１５ｂを介してスライド部材９が上方に垂直に持ち上げられる(図５参照)。スライド部材９が上方に持ち上げられると、カム溝１６ａ、１６ｂに係合しているガイドボス１９ａ、１９ｂが裾広がりのカム溝１６ａ、１６ｂに沿って下側に移動することによって機能タグ支持部材１７ａ、１７ｂは軸１８ａ、１８ｂを中心に回転して下端側が閉まる方向に移動する。
【００３１】
この状態は機能タグ支持部材１７ａ、１７ｂが一時的に待機した状態であり、さらに、連続して操作ハンドル３ｂを握ることにより、レバー部材２８が矢印ａ方向にさらに回動させられ、タイムラグ材３１ａを介して繰出部材３１が作動してテープ５を繰り出し、該テープ５は剥離部材７の先端部で鋭角に折り返して後方に送られることにより、テープ５に貼着保持させた機能タグ３４が剥離して剥離部材７の前方から突き出し、図５に点線で示すように、機能タグ支持部材１７ａ、１７ｂの切り欠き部２０ａ、２０ｂに機能タグ３４の両端部が支持される。
【００３２】
さらに、そのまま連続して操作ハンドル３ｂを引き寄せることにより、レバー部材２８が回動して板状部材２５を後端側に引き寄せると、板状部材２５の傾斜部２５ｂがガイドピン２９に当接して押し上げられこととなり、必然的に切り欠き凹部２５ａがリンク部材２３のボス２４から上方に外される。リンク部材２３がボス２４から外れてフリーの状態になることで、アーム部材２２ａ、２２ｂで上方に押し上げられていたスライド部材９がコイルスプリング１４ａ、１４ｂにより強制的に下方に引き下げられる。
【００３３】
この引き下げ作用により、前記持ち上げ作用とは逆に、カム溝１６ａ、１６ｂに係合しているガイドボス１９ａ、１９ｂが各カム溝１６ａ、１６ｂに沿って内側に閉じる方向に移動し、それによって機能タグ支持部材１７ａ、１７ｂの下端部側は開く方向に移動して、切り欠き凹部２０ａ、２０ｂに支持されていた機能タグ３４が開放される。開放されると同時に下降してくるスライド部材９が機能タグ３４の上面を叩いて押圧することになる。その叩き動作の確認後に握りを緩めて操作ハンドル３ｂを元の位置に戻して次の動作を行えるようにする。この叩き動作による押圧は、上述のようにゴム等の緩衝部材９ａを介してなされるので、機能タグ３４及びその記録データを損傷することはない。
【００３４】
操作ハンドル３ｂの握りを緩めて元の位置に戻すことで、レバー部材２８が逆方向に回動して板状部材２５を先端側に押し戻す。その押し戻しによって切り欠き凹部２５ａがリンク部材２３のボス２４に再度嵌合してリンク部材２３を介して板状部材２５と軸部材２１が連結状態、即ち、タグ支持機構８における図３及び図４の状態となる。
【００３５】
上述のように、本発明に係る機能タグ貼着装置１においてグリップ３ａと操作ハンドル３ｂを強く握って開放する１回の操作でタグ支持機構８における待機から、テープ５の送り出しと、機能タグ３４を剥がして待機している機能タグ支持部材１７ａ、１７ｂに供給すると共に、供給した機能タグ３４を貼着しようとする位置に位置付けして押圧する行為とが一連になされるのである。
【産業上の利用可能性】
【００３６】
以上説明したように、機能タグを商品に貼着させようとしたときに、従来のハンドラベラーの機能を利用して、機能タグを貼着保持させたテープを使用できるように、機能タグ支持機構を設けたものであって、機能タグの大きさ厚みまたは形状が変わってもそれに対応できるようにしたものであり、その有用性は大なるものがある。
【符号の説明】
【００３７】
１    機能タグ貼着装置
２    側壁
３ａ  固定ハンドル
３ｂ  可動ハンドル
４    軸部
５    テープ
６    支持部材
７    剥離部材
８    タグ支持機構
８ａ  先端壁
８ｂ、８ｃ  側面壁
９    スライド部材
９ａ  緩衝部材
１０  ガイド溝
１１ａ、１１ｂ  ガイドピン
１２ａ、１２ｂ、１３ａ、１３ｂ  ピン
１４ａ、１４ｂ  コイルスプリング
１５ａ、１５ｂ  ボス部
１６ａ、１６ｂ  ガイド溝
１７ａ、１７ｂ  機能タグ支持部材
１８ａ、１８ｂ  軸
１９ａ、１９ｂ  ガイドボス
２０ａ、２０ｂ  切り欠き段差部
２１    軸部材
２２ａ、２２ｂ  アーム部材
２２ｃ、２２ｄ  切り欠き凹部
２３    リンク部材
２４    ボス部
２５    板状部材
２５ａ  切り欠き凹部
２５ｂ  傾斜部
２６    中間歯車
２７    ギアセグメント
２８    レバー部材
２９    ガイドピン
３０    スプリング
３１    繰出部材
３２    感知爪
３３    案内板
３４    機能タグ
【図１】
2010222058.tif 000003
【図２】
2010222058.tif 000004
【図３】
2010222058.tif 000005
【図４】
2010222058.tif 000006
【図５】
2010222058.tif 000007
【図６】
2010222058.tif 000008
【図７】
2010222058.tif 000009